(57)【要約】【課題】薄型化が可能なコネクタ保護ケース、防水中継コネクタ装置及びそれを備える電動工具を提供する。【解決手段】コネクタ保護ケース１では、ベース２とカバー３とを含むケース本体４は、コネクタ収納室４３、第１導出孔４４、第２導出孔４５、第１リード線収納室４６及び第２リード線収納室４７を有する。コネクタ収納室４３は、中継コネクタ装置１０を収納可能である。第１導出孔４４は、ケース本体４の第１端４１に形成され、複数の第１リード線１１１を導出可能である。第２導出孔４５は、ケース本体４の第２端４２に形成され、複数の第２リード線１２１を導出可能である。第１リード線収納室４６は、第１導出孔４４とコネクタ収納室４３との間に形成され複数の第１リード線１１１の各々の一部を収納可能である。第２リード線収納室４７は、第２導出孔４５とコネクタ収納室４３との間に形成され複数の第２リード線１２１の各々の一部を収納可能である。【選択図】図３
2018092742.tif 000002
【特許請求の範囲】
【請求項１】
複数の第１リード線が第１コネクタハウジングから導出された第１コネクタと複数の第２リード線が第２コネクタハウジングから導出された第２コネクタとを接続して構成される中継コネクタ装置を収納可能なコネクタ保護ケースであって、
一面に開口を有する箱状のベースと、前記ベースの前記開口を覆うように前記ベースに連結されるカバーと、を備え、
前記ベースと前記カバーとを含むケース本体は、
前記中継コネクタ装置を収納可能なコネクタ収納室と、
前記一面に沿った規定方向において前記ケース本体の第１端に形成され、前記複数の第１リード線を前記ケース本体の外に導出可能な第１導出孔と、
前記規定方向において前記ケース本体の第２端に形成され、前記複数の第２リード線を前記ケース本体の外に導出可能な第２導出孔と、
前記第１導出孔と前記コネクタ収納室との間に形成され前記複数の第１リード線の各々の一部を収納可能な第１リード線収納室と、
前記第２導出孔と前記コネクタ収納室との間に形成され前記複数の第２リード線の各々の一部を収納可能な第２リード線収納室と、を有する
ことを特徴とするコネクタ保護ケース。
【請求項２】
前記ベースは、前記第１リード線収納室に対応する第１収納室の幅及び前記第２リード線収納室に対応する第２収納室の幅が、前記コネクタ収納室に対応する中央収納室の幅よりも狭い
ことを特徴とする請求項１記載のコネクタ保護ケース。
【請求項３】
前記ケース本体の前記第１導出孔は、前記ベースから一体に突出したベース側第１リブと前記カバーから一体に突出したカバー側第１リブとで構成される第１仕切壁により、前記複数の第１リード線をそれぞれ導出可能な複数の第１小孔に分かれており、
前記ケース本体の前記第２導出孔は、前記ベースから一体に突出したベース側第２リブと前記カバーから一体に突出したカバー側第２リブとで構成される第２仕切壁により、前記複数の第２リード線をそれぞれ導出可能な複数の第２小孔に分かれている
ことを特徴とする請求項１又は２記載のコネクタ保護ケース。
【請求項４】
前記ケース本体の前記第１導出孔の内周面は、前記ケース本体の前記第１端で前記ベースの前記一面において前記開口の周縁に形成された第１溝の内周面と、前記第１溝内に配置される前記カバー側第１リブの表面と、を含み、
前記ベース側第１リブは、前記ベースにおける前記第１溝の内周面から突出しており、
前記ケース本体の前記第２導出孔の内周面は、前記ケース本体の前記第２端で前記ベースの前記一面において前記開口の周縁に形成された第２溝の内周面と、前記第２溝内に配置される前記カバー側第２リブの表面と、を含み、
前記ベース側第２リブは、前記ベースにおける前記第２溝の内周面から突出しており、
前記カバーに一体に形成され、前記第１リード線収納室内において前記複数の第１リード線が並ぶ方向の両側に配置されるように前記カバーから前記ベースに向かって突出した２つの第１突出部と、
前記カバーに一体に形成され、前記第２リード線収納室内において前記複数の第２リード線が並ぶ方向の両側に配置されるように前記カバーから前記ベースに向かって突出した２つの第２突出部と、を更に備える
ことを特徴とする請求項３記載のコネクタ保護ケース。
【請求項５】
前記ベース及び前記カバーと一体に形成され、前記カバーが前記ベースの前記開口を覆う閉位置と前記カバーが前記ベースの前記開口を覆わない開位置との間で前記カバーが回転可能となるように前記カバーを前記ベースに連結するヒンジと、
前記ヒンジの反対側において前記ベースと前記カバーとの一方に一体に形成されたフックと、
前記ヒンジの反対側において前記ベースと前記カバーとの他方に一体に形成され、前記フックが着脱可能に引っ掛かる着脱部と、を備える
ことを特徴とする請求項１乃至４のいずれか一項に記載のコネクタ保護ケース。
【請求項６】
請求項１乃至５のいずれか一項に記載のコネクタ保護ケースと、
前記コネクタ保護ケースの前記コネクタ収納室に収納された中継コネクタ装置と、
前記複数の第１リード線の各々の外周面と前記第１導出孔の内周面との間に介在しグリスにより形成されている第１シール部と、
前記複数の第２リード線の各々の外周面と前記第２導出孔の内周面との間に介在しグリスにより形成されている第２シール部と、を備える
ことを特徴とする防水中継コネクタ装置。
【請求項７】
モータと、
前記モータを収納する中空のハウジングと、
請求項６記載の防水中継コネクタ装置と、
前記ハウジング内の第１領域に配置された第１回路モジュールと、
前記ハウジング内の第２領域に配置された第２回路モジュールと、を備え、
前記第１回路モジュールは、前記防水中継コネクタ装置の前記第１コネクタに前記複数の第１リード線を介して電気的に接続されており、
前記第２回路モジュールは、前記防水中継コネクタ装置の前記第２コネクタに前記複数の第２リード線を介して電気的に接続されている
ことを特徴とする電動工具。
【発明の詳細な説明】
【技術分野】
【０００１】
本発明は、一般にコネクタ保護ケース、防水中継コネクタ装置及びそれを備える電動工具に関し、より詳細には、第１コネクタと第２コネクタとを含む中継コネクタ装置を収納可能なコネクタ保護ケース、並びに、コネクタ保護ケースに中継コネクタ装置を収納した防水中継コネクタ装置及びそれを備える電動工具に関する。
【背景技術】
【０００２】
従来、コネクタ保護ケースとして、互いの端子が接続された雄型コネクタ（第１コネクタ）と雌型コネクタ（第２コネクタ）とからなるコネクタ（中継コネクタ装置）を収納するコネクタカバーが知られている（特許文献１）。
【０００３】
特許文献１に記載されたコネクタは、雄型コネタク、雌型コネクタから、それぞれ、第１ケーブル、第２ケーブルが導出されている。
【０００４】
特許文献１に記載されたコネクタカバーは、上ケースと、下ケースと、上ケースと下ケースとを連結するヒンジと、を備える。このコネクタカバーでは、上ケースと下ケースとヒンジとが合成樹脂によって一体に形成されている。
【０００５】
上ケースは、上板と、この上板の周端部から一体に立設された囲い壁とによって浅底の箱状に形成されている。上ケースの囲い壁の両端部には、半円形の切欠きが設けられている。下ケースは、底板と、この底板の周端部から一体に立設された囲い壁とによって浅底の箱状に形成されている。下ケースの囲い壁の両端部には、半円形の切欠きが設けられている。
【０００６】
コネクタカバーは、上ケースの一端部の切欠きと下ケースの一端部の切欠きとによって、雄型コネクタの第１ケーブルが導出される円形の第１ケーブル導出孔が形成されている。また、コネクタカバーは、上ケースの他端部の切欠きと下ケースの他端部の切欠きとによって、雌型コネクタの第２ケーブルが導出される円形の第２ケーブル導出孔が形成されている。
【０００７】
第１ケーブル及び第２ケーブルは、複数の電線と、導電性を有する偏組線と、被覆と、を備える。
【０００８】
コネクタカバーは、防塵性及び防水性を向上させるために、第１シール部材と、第２シール部材と、を更に備えている。コネクタカバーに収納されたコネクタは、第１シール部材及び第２シール部材によって囲まれる。
【０００９】
第１シール部材及び第２シール部材は、弾性材によって偏平な枠状に形成されている。第１シール部材の厚みは、上ケースの上板の内面からの囲い壁の高さよりもわずかに大きい。第２シール部材の厚みは、下ケースの底板の内面からの囲い壁の高さよりもわずかに大きい。第１シール部材は、上ケースの囲い壁に嵌合されている。第２シール部材は、下ケースの囲い壁に嵌合されている。
【先行技術文献】
【特許文献】
【００１０】
【特許文献１】特開２０１２−０２８０７２号公報
【発明の概要】
【発明が解決しようとする課題】
【００１１】
上述のコネクタ保護ケースでは、薄型化が望まれることがあった。
【００１２】
本発明の目的は、薄型化が可能なコネクタ保護ケース、防水中継コネクタ装置及びそれを備える電動工具を提供することにある。
【課題を解決するための手段】
【００１３】
本発明に係る一態様のコネクタ保護ケースは、中継コネクタ装置を収納可能である。前記中継コネクタ装置は、複数の第１リード線が第１コネクタハウジングから導出された第１コネクタと複数の第２リード線が第２コネクタハウジングから導出された第２コネクタとを接続して構成される。コネクタ保護ケースは、ベースと、カバーと、を備える。前記ベースは、一面に開口を有する箱状である。前記カバーは、前記ベースの前記開口を覆うように前記ベースに連結される。前記ベースと前記カバーとを含むケース本体は、コネクタ収納室と、第１導出孔と、第２導出孔と、第１リード線収納室と、第２リード線収納室と、を有する。前記コネクタ収納室は、前記中継コネクタ装置を収納可能である。前記第１導出孔は、前記一面に沿った規定方向において前記ケース本体の第１端に形成されている。前記第１導出孔は、前記複数の第１リード線を前記ケース本体の外に導出可能である。前記第２導出孔は、前記規定方向において前記ケース本体の第２端に形成されている。前記第２導出孔は、前記複数の第２リード線を前記ケース本体の外に導出可能である。前記第１リード線収納室は、前記第１導出孔と前記コネクタ収納室との間に形成される。前記第１リード線収納室は、前記複数の第１リード線の各々の一部を収納可能である。前記第２リード線収納室は、前記第２導出孔と前記コネクタ収納室との間に形成される。前記第２リード線収納室は、前記複数の第２リード線の各々の一部を収納可能である。
【００１４】
本発明に係る一態様の防水中継コネクタ装置は、上記のコネクタ保護ケースと、前記中継コネクタ装置と、第１シール部と、第２シール部と、を備える。前記中継コネクタ装置は、前記コネクタ保護ケースの前記コネクタ収納室に収納されている。前記第１シール部は、前記複数の第１リード線の各々の外周面と前記第１導出孔の内周面との間に介在している。前記第１シール部は、グリスにより形成されている。前記第２シール部は、前記複数の第２リード線の各々の外周面と前記第２導出孔の内周面との間に介在している。前記第２シール部は、グリスにより形成されている。
【００１５】
本発明に係る一態様の電動工具は、モータと、ハウジングと、上記の防水中継コネクタ装置と、第１回路モジュールと、第２回路モジュールと、を備える。前記ハウジングは、中空であり、前記モータを収納する。前記第１回路モジュールは、前記ハウジング内の第１領域に配置される。前記第２回路モジュールは、前記ハウジング内の第２領域に配置されている。前記第１回路モジュールは、前記防水中継コネクタ装置の前記第１コネクタに前記複数の第１リード線を介して電気的に接続されている。前記第２回路モジュールは、前記防水中継コネクタ装置の前記第２コネクタに前記複数の第２リード線を介して電気的に接続されている。
【発明の効果】
【００１６】
本発明のコネクタ保護ケース、防水中継コネクタ装置及びそれを備える電動工具では、コネクタ保護ケース及び防水中継コネクタ装置の薄型化が可能となる。
【図面の簡単な説明】
【００１７】
【図１】図１Ａは、本発明の一実施形態に係るコネクタ保護ケースを備える防水中継コネクタ装置においてコネクタ保護ケースを閉じた状態の斜視図である。図１Ｂは、同上のコネクタ保護ケースを備える防水中継コネクタ装置においてコネクタ保護ケースを開いた状態の斜視図である。
【図２】図２Ａは、同上のコネクタ保護ケースを備える防水中継コネクタ装置においてコネクタ保護ケースを開いた状態の平面図である。図２Ｂは、同上のコネクタ保護ケースを備える防水中継コネクタ装置においてコネクタ保護ケースを開いた状態の正面図である。
【図３】図３Ａは、同上のコネクタ保護ケースを備える防水中継コネクタ装置においてコネクタ保護ケースを閉じた状態の平面図である。図３Ｂは、同上のコネクタ保護ケースを備える防水中継コネクタ装置においてコネクタ保護ケースを閉じた状態の正面図である。図３Ｃは、図３ＡのＸ−Ｘ線断面図である。図３Ｄは、図３ＡのＹ−Ｙ線断面図である。図３Ｅは、同上のコネクタ保護ケースを備える防水中継コネクタ装置においてコネクタ保護ケースを閉じた状態の背面図である。
【図４】図４Ａは、本発明の一実施形態に係るコネクタ保護ケースを閉じた状態の斜視図である。図４Ｂは、同上のコネクタ保護ケースを開いた状態の斜視図である。
【図５】図５Ａは、同上のコネクタ保護ケースを開いた状態の平面図である。図５Ｂは、同上のコネクタ保護ケースを開いた状態の正面図である。
【図６】図６は、同上のコネクタ保護ケースに収納可能な中継コネクタ装置の斜視図である。
【図７】図７は、本発明の一実施形態に係る防水中継コネクタ装置を備える電動工具の一部破断した側面図である。
【図８】図８は、本発明の一実施形態の変形例１に係る防水中継コネクタ装置の分解斜視図である。
【発明を実施するための形態】
【００１８】
以下に説明する実施形態は、本発明の様々な実施形態の一つに過ぎない。下記の実施形態は、本発明の目的を達成できれば、設計等に応じて種々の変更が可能である。
【００１９】
（実施形態）
以下では、本実施形態のコネクタ保護ケース１について、図１Ａ〜８に基づいて説明する。
【００２０】
コネクタ保護ケース１は、中継コネクタ装置１０を収納可能に構成されている。コネクタ保護ケース１は、中継コネクタ装置１０を保護するために使用される。コネクタ保護ケース１は、より詳細には、防水中継コネクタ装置１００に使用される。ただし、中継コネクタ装置１０は、コネクタ保護ケース１の構成要素ではない。
【００２１】
中継コネクタ装置１０は、第１コネクタ１１と、第２コネクタ１２と、を含む。言い換えれば、中継コネクタ装置１０は、第１コネクタ１１と第２コネクタ１２とを接続して構成される。「第１コネクタ１１と第２コネクタ１２とを接続する」とは、第１コネクタ１１と第２コネクタ１２とを電気的かつ機械的に接続することを意味する。第１コネクタ１１は、プラグコネクタである。第２コネクタ１２は、レセプタクルコネクタである。第１コネクタ１１は、第１コネクタハウジング１１０を備え、第１コネクタハウジング１１０から複数（例えば、２つ）の第１リード線１１１が導出されている。第１コネクタ１１は、第１コネクタハウジング１１０内に配置されて複数の第１リード線１１１が一対一に接続された複数の第１コンタクト（図示せず）を備える。第１コネクタハウジング１１０は、合成樹脂により形成されており、電気絶縁性を有する。第１コンタクトは、導電性を有する。第２コネクタ１２は、第２コネクタハウジング１２０を備え、第２コネクタハウジング１２０から複数（例えば、２つ）の第２リード線１２１が導出されている。第２コネクタ１２は、第２コネクタハウジング１２０内に配置されて複数の第２リード線１２１が一対一に接続された複数の第２コンタクト（図示せず）を備える。第２コネクタハウジング１２０は、合成樹脂により形成されており、電気絶縁性を有する。第２コンタクトは、導電性を有する。
【００２２】
防水中継コネクタ装置１００では、コネクタ保護ケース１のケース本体４の第１導出孔４４（図３Ｅ参照）から複数の第１リード線１１１が導出され、第２導出孔４５（図３Ｂ参照）から複数の第２リード線１２１が導出されている。複数の第１リード線１１１及び複数の第２リード線１２１は、可撓性を有する。複数の第１リード線１１１及び複数の第２リード線１２１は、絶縁被覆電線である。第１リード線１１１及び第２リード線１２１の直径（外径）は、例えば、１ｍｍである。防水中継コネクタ装置１００では、第１リード線１１１の直径と第２リード線１２１の直径とが同じであるが、異なっていてもよい。
【００２３】
防水中継コネクタ装置１００は、中継コネクタ装置１０と、コネクタ保護ケース１と、第１シール部１０１（図３Ｅ参照）と、第２シール部１０２（図３Ｂ参照）と、を備える。第１シール部１０１は、グリスにより形成されている。第１シール部１０１は、複数の第１リード線１１１の各々の外周面と第１導出孔４４の内周面との間に介在している。第２シール部１０２は、グリスにより形成されている。第２シール部１０２は、複数の第２リード線１２１の各々の外周面と第２導出孔４５の内周面との間に介在している。
【００２４】
グリスは、電気絶縁性を有する。グリスは、例えば、合成炭化水素油系のグリスであってシリコン油を含まないグリスが好ましい。これにより、防水中継コネクタ装置１００では、中継コネクタ装置１０における電気的な接触不良の発生を抑制することが可能となる。ここにおいて、「電気的な接触不良」とは、例えば、中継コネクタ装置１０において一対一に対応する第１コンタクトと第２コンタクトとの電気的な接触不良である。
【００２５】
コネクタ保護ケース１の各構成要素については、以下に、より詳細に説明する。
【００２６】
コネクタ保護ケース１は、電気絶縁性を有する。ここにおいて、コネクタ保護ケース１は、樹脂成形品である。これにより、コネクタ保護ケース１は、低コスト化を図ることが可能となる。コネクタ保護ケース１の材質は、防水性を向上させる観点から、例えば、ナイロンであるのが好ましい。
【００２７】
コネクタ保護ケース１は、ベース２と、カバー３と、を備える。ここにおいて、コネクタ保護ケース１は、ベース２とカバー３とを含むケース本体４を備える。
【００２８】
ベース２は、一面２１に開口２２を有する箱状（矩形箱状）である。より詳細には、ベース２は、偏平な矩形箱状であり、外周形状が矩形状である。カバー３は、ベース２の開口２２を覆うようにベース２に連結される。カバー３は、矩形板状であり、外周形状が矩形状である。カバー３の外周形状は、ベース２の外周形状と略同じである。カバー３は、中継コネクタ装置１０を収納可能なコネクタ収納室４３をベース２とともに形成する。ケース本体４の形状は、中空の偏平な直方体状である。
【００２９】
コネクタ保護ケース１は、カバー３をベース２に連結するヒンジ６を備える。ここにおいて、ヒンジ６は、ベース２及びカバー３と一体に形成されている。ヒンジ６は、カバー３がベース２の開口２２を覆う閉位置とカバー３がベース２の開口２２を覆わない開位置との間でカバー３が回転可能（ここでは、コネクタ保護ケース１の長手方向を軸に回転可能）となるようにカバー３をベース２に連結している。ヒンジ６は、ベース２及びカバー３それぞれの４つの側面のうち、複数の第１リード線１１１の並ぶ方向及び複数の第２リード線１２１の並ぶ方向に交差する１つの側面から外方に突出している。ここにおいて、ヒンジ６は、帯状であり、長手方向の一端がベース２に繋がり、長手方向の他端がカバー３に繋がっている。また、ヒンジ６は、長手方向の中央に、他の部位６ａよりも肉厚が厚くなるように厚み方向の一面から突出した凸部６ｂを有する。コネクタ保護ケース１は、ヒンジ６を２つ備えている。コネクタ保護ケース１では、２つのヒンジ６が当該２つのヒンジ６が突出する側面の長手方向（図２Ａの上下方向）において互いに離れて配置されている。
【００３０】
コネクタ保護ケース１は、フック７と、着脱部８と、を備える。フック７は、ベース２に一体に形成されている。フック７は、ベース２の４つの側面のうちヒンジ６が突出している側面とは反対側の側面から外方に突出している。フック７は、ベース２の厚さ方向において、ベース２の一面２１から離れるにつれてベース２の側面からの突出量が徐々に大きくなる形状に形成されている。着脱部８は、カバー３に一体に形成されている。着脱部８は、カバー３の４つの側面のうちヒンジ６が突出している側面とは反対側の側面から突出している。着脱部８は、カバー３の側方から見てＵ字状であり、カバー３がベース２の開口２２を覆う閉位置においてカバー３の側面とベース２の側面とに跨る大きさに形成されている。着脱部８は、カバー３においてベース２の一面２１に対向する一面３１よりもベース２側へ突出した部分とカバー３の一面３１の周縁との間に、フック７が嵌る嵌合孔８１が形成されている。これにより、コネクタ保護ケース１では、フック７が着脱部８に着脱可能に引っ掛かる。コネクタ保護ケース１は、フック７と着脱部８とを備えるので、着脱部８をフック７に引っ掛けることにより、カバー３をベース２の開口２２を覆う位置に保つことが可能となる。
【００３１】
ベース２とカバー３とを含むケース本体４は、図３Ａ〜３Ｅに示すように、コネクタ収納室４３と、第１導出孔４４と、第２導出孔４５と、第１リード線収納室４６と、第２リード線収納室４７と、を有する。ここにおいて、第１導出孔４４、第２導出孔４５、第１リード線収納室４６及び第２リード線収納室４７は、ベース２の開口２２がカバー３により覆われた状態（図１Ａ、３Ａ〜３Ｅ及び４Ａの状態）で規定される。以下では、ベース２の一面２１に沿った一方向（図２Ａの上下方向）を規定方向として説明する。
【００３２】
ベース２は、上述のように一面２１に開口２２を有する矩形箱状である。ベース２は、内周面と底面とに跨る２つの台部２８が上記規定方向に沿った一対の側壁に対して１つずつ一体に形成されている。ベース２の内底面からの台部２８の突出高さは、ベース２の内底面から一面２１を含む平面までの高さよりも低い。これに対して、カバー３の一面３１には、ベース２の開口２２を覆っている状態においてベース２の台部２８に接する矩形枠状の凸部３８が突出して形成されている。ベース２の内底面から一面２１を含む平面までの高さは、中継コネクタ装置１０の高さよりも低い。このため、カバー３の一面３１には、凸部３８よりも内側に、コネクタ収納室４３等の一部を形成するための凹部３３を有する。
【００３３】
コネクタ収納室４３は、中継コネクタ装置１０を収納可能である。より詳細には、コネクタ収納室４３は、中継コネクタ装置１０における第１コネクタ１１の第１コネクタハウジング１１０及び第２コネクタ１２の第２コネクタハウジング１２０を収納する空間である。コネクタ収納室４３の形状は、第１コネクタハウジング１１０と第２コネクタハウジング１２０とを嵌め合せた状態の形状に対応している。
【００３４】
ここにおいて、ベース２は、コネクタ収納室４３に対応する中央収納室２３を有する。中央収納室２３は、コネクタ収納室４３の一部を構成する。言い換えれば、コネクタ収納室４３は、ベース２の中央収納室２３と、カバー３の一面３１の凹部３３の一部と、で規定される。中央収納室２３の幅Ｈ２３（図５Ａ参照）は、中央収納室２３における２つの台部２８間の距離である。中央収納室２３の幅Ｈ２３は、中継コネクタ装置１０の幅よりも広い。
【００３５】
第１導出孔４４は、上記規定方向においてケース本体４の第１端４１に形成されている。第１導出孔４４は、上記規定方向及びケース本体４の厚さ方向（図３Ｅの上下方向）に直交する方向（図３Ｅの左右方向）に並んだ複数の第１リード線１１１をケース本体４の外に導出可能に形成されている。
【００３６】
ケース本体４では、第１導出孔４４を形成するために、ベース２の一面２１における開口２２の周縁に第１溝２１４が形成されている。第１溝２１４の内周面は、Ｕ字状に形成である。ここにおいて、第１導出孔４４は、図３Ｅに示すように、第１仕切壁４８によって、複数の第１小孔４４１に分かれているのが好ましい。複数の第１小孔４４１は、複数の第１リード線１１１それぞれを導出できる程度の大きさに形成されている。第１仕切壁４８は、ベース２から一体に突出したベース側第１リブ２４とカバー３から一体に突出したカバー側第１リブ３４とで構成される。ケース本体４の第１導出孔４４の内周面は、第１溝２１４の内周面と、第１溝２１４内に配置されるカバー側第１リブ３４の表面と、を含む。より詳細には、ケース本体４の第１導出孔４４の内周面は、第１溝２１４の内周面と、第１溝２１４内に配置されるカバー側第１リブ３４の表面と、カバー３の一面３１において第１溝２１４に臨む部位と、を含む。上述のベース側第１リブ２４は、ベース２における第１溝２１４の内周面から突出している。
【００３７】
第２導出孔４５は、上記規定方向においてケース本体４の第２端４２に形成されている。第２導出孔４５は、上記規定方向及びケース本体４の厚さ方向（図３Ｂの上下方向）に直交する方向（図３Ｂの左右方向）に並んだ複数の第２リード線１２１をケース本体４の外に導出可能に形成されている。
【００３８】
ケース本体４では、第２導出孔４５を形成するために、ベース２の一面２１における開口２２の周縁に第２溝２１５が形成されている。第２溝２１５の内周面は、Ｕ字状である。ここにおいて、第２導出孔４５は、図３Ｂに示すように、第２仕切壁４９によって、複数の第２小孔４５１に分かれているのが好ましい。複数の第２小孔４５１は、複数の第２リード線１２１それぞれを導出できる程度の大きさに形成されている。第２仕切壁４９は、ベース２から一体に突出したベース側第２リブ２５とカバー３から一体に突出したカバー側第２リブ３５とで構成される。ケース本体４の第２導出孔４５の内周面は、第２溝２１５の内周面と、第２溝２１５内に配置されるカバー側第２リブ３５の表面と、を含む。より詳細には、ケース本体４の第２導出孔４５の内周面は、第２溝２１５の内周面と、第２溝２１５内に配置されるカバー側第２リブ３５の表面と、カバー３の一面３１において第２溝２１５に臨む部位と、を含む。上述のベース側第２リブ２５は、ベース２における第２溝２１５の内周面から突出している。
【００３９】
第１リード線収納室４６は、上記規定方向において、第１導出孔４４とコネクタ収納室４３との間に形成される。第１リード線収納室４６は、複数の第１リード線１１１の各々の一部を収納可能である。ここにおいて、ベース２は、第１リード線収納室４６に対応する第１収納室２６を有する。第１収納室２６は、第１リード線収納室４６の一部を構成する。言い換えれば、第１リード線収納室４６は、ベース２の第１収納室２６と、カバー３の一面３１の凹部３３の一部と、で規定される。第１収納室２６の幅Ｈ２６（図５Ａ参照）は、第１収納室２６における２つの台部２８間の距離である。第１収納室２６の幅Ｈ２６は、中継コネクタ装置１０の幅よりも狭い。言い換えれば、第１収納室２６の幅Ｈ２６は、第１コネクタハウジング１１０の幅及び第２コネクタハウジング１２０の幅よりも狭い。
【００４０】
第２リード線収納室４７は、上記規定方向において、第２導出孔４５とコネクタ収納室４３との間に形成される。第２リード線収納室４７は、複数の第２リード線１２１の各々の一部を収納可能である。ここにおいて、ベース２は、第２リード線収納室４７に対応する第２収納室２７を有する。第２収納室２７は、第２リード線収納室４７の一部を構成する。言い換えれば、第２リード線収納室４７は、ベース２の第２収納室２７と、カバー３の一面３１の凹部３３の一部と、で規定される。第２収納室２７の幅Ｈ２７（図５Ａ参照）は、第２収納室２７における２つの台部２８間の距離である。第２収納室２７の幅Ｈ２７は、中継コネクタ装置１０の幅よりも狭い。言い換えれば、第２収納室２７の幅Ｈ２７は、第１コネクタハウジング１１０の幅及び第２コネクタハウジング１２０の幅よりも狭い。
【００４１】
ベース２は、第１収納室２６の幅Ｈ２６及び第２収納室２７の幅Ｈ２７が、コネクタ収納室４３に対応する中央収納室２３の幅Ｈ２３よりも狭い。
【００４２】
ケース本体４は、カバー３に一体に形成された２つの第１突出部３６及び２つの第２突出部３７を更に備えるのが好ましい。２つの第１突出部３６は、第１リード線収納室４６内において複数の第１リード線１１１が並ぶ方向の両側に配置されるようにカバー３からベース２に向かって突出している。したがって、防水中継コネクタ装置１００では、２つの第１突出部３６の間を複数の第１リード線１１１が通る。各第１突出部３６の先端面とベース２との距離は、例えば、第１リード線１１１の直径の４分の１以下であるのが好ましい。また、２つの第２突出部３７は、第２リード線収納室４７内において複数の第２リード線１２１が並ぶ方向の両側に配置されるようにカバー３からベース２に向かって突出している。したがって、防水中継コネクタ装置１００では、２つの第２突出部３７の間を複数の第２リード線１２１が通る。各第２突出部３７の先端面とベース２との距離は、例えば、第２リード線１２１の直径の４分の１以下であるのが好ましい。
【００４３】
以下、防水中継コネクタ装置１００の製造方法の一例について説明する。
【００４４】
防水中継コネクタ装置１００の製造にあたっては、まず、第１コネクタ１１、第２コネクタ１２及びコネクタ保護ケース１を準備する。
【００４５】
その後、ベース２の内底面のうち第１収納室２６に対応する部位と第１溝２１４の内周面の底部とに、ディスペンサによりグリスを塗布する。同様に、ベース２の内底面のうち第２収納室２７に対応する部位と第２溝２１５の内周面の底部とに、ディスペンサによりグリスを塗布する。ここにおいて、コネクタ保護ケース１では、第１収納室２６の幅Ｈ２６及び第２収納室２７の幅Ｈ２７が中央収納室２３の幅Ｈ２３よりも狭いので、グリスの塗布領域を認識しやすく、ベース２の内底面のうち中央収納室２３に対応する部位にもグリスを塗布する場合と比べて、グリスの塗布量を低減することが可能となる。また、コネクタ保護ケース１では、第１仕切壁４８及び第２仕切壁４９を備えることにより、ケース本体４の外にはみ出すグリスの量を低減することが可能となる。
【００４６】
続いて、第１コネクタ１１と第２コネクタ１２とを接続して構成した中継コネクタ装置１０を、ベース２に入れる。この際、カバー３は、ベース２の開口２２を覆っていない（つまり、カバー３は、開位置にある）。中継コネクタ装置１０をベース２に入れる際に複数の第１リード線１１１が第１シール部１０１の元になるグリスに接触する。また、複数の第２リード線１２１が第２シール部１０２の元になるグリスに接触する。
【００４７】
その後、カバー３がベース２の開口２２を覆うようにカバー３を回転させて着脱部８をフック７に引っ掛ける。このときに、第１シール部１０１及び第２シール部１０２が形成される。
【００４８】
上述の防水中継コネクタ装置１００の製造方法では、ベース２の内底面のうち第１収納室２６に対応する部位上のグリスの一部が、第１突出部３６により押されて第１突出部３６の隣りの第１リード線１１１の外周面を覆うように流動する（押し広げられる）。同様に、ベース２の内底面のうち第２収納室２７に対応する部位上のグリスの一部が、第２突出部３７により押されて第２突出部３７の隣りの第２リード線１２１の外周面を覆うように流動する。したがって、防水中継コネクタ装置１００は、第１シール部１０１及び第２シール部１０２それぞれによる防水性を向上させることが可能となる。防水中継コネクタ装置１００の製造方法では、中継コネクタ装置１０をベース２に入れた後で、カバー３によりベース２の開口２２を覆う前に、第１収納室２６及び第２収納室２７それぞれにグリスを塗布してもよい。
【００４９】
コネクタ保護ケース１において、ヒンジ６は必須の構成要素ではなく、例えば、ベース２とカバー３とが、ベース２とカバー３との一方に設けた係合爪と、他方に設けた係合孔とが着脱可能に引っ掛かることにより連結されていてもよい。
【００５０】
また、中継コネクタ装置１０における第１リード線１１１及び第２リード線１２１の数は２つずつに限らず、例えば、それぞれ３つ以上でもよい。ここにおいて、コネクタ保護ケース１では、第１リード線１１１の数（例えば、３つ）よりも１つ少ない数（例えば、２つ）の第１仕切壁４８を備えているのが好ましい。また、コネクタ保護ケース１では、第２リード線１２１の数（例えば、３つ）よりも１つ少ない数（例えば、２つ）の第２仕切壁４９を備えているのが好ましい。
【００５１】
上述の実施形態から明らかなように、第１の態様に係るコネクタ保護ケース１は、中継コネクタ装置１０を収納可能である。中継コネクタ装置１０は、複数の第１リード線１１１が第１コネクタハウジング１１０から導出された第１コネクタ１１と複数の第２リード線１２１が第２コネクタハウジング１２０から導出された第２コネクタ１２とを接続して構成される。コネクタ保護ケース１は、ベース２と、カバー３と、を備える。ベース２は、一面２１に開口２２を有する箱状である。カバー３は、ベース２の開口２２を覆うようにベース２に連結される。ベース２とカバー３とを含むケース本体４は、コネクタ収納室４３と、第１導出孔４４と、第２導出孔４５と、第１リード線収納室４６と、第２リード線収納室４７と、を有する。コネクタ収納室４３は、中継コネクタ装置１０を収納可能である。第１導出孔４４は、ベース２の一面２１に沿った規定方向においてケース本体４の第１端４１に形成されている。第１導出孔４４は、複数の第１リード線１１１をケース本体４の外に導出可能である。第２導出孔４５は、上記規定方向においてケース本体４の第２端４２に形成されている。第２導出孔４５は、複数の第２リード線１２１をケース本体４の外に導出可能である。第１リード線収納室４６は、第１導出孔４４とコネクタ収納室４３との間に形成される。第１リード線収納室４６は、複数の第１リード線１１１の各々の一部を収納可能である。第２リード線収納室４７は、第２導出孔４５とコネクタ収納室４３との間に形成される。第２リード線収納室４７は、複数の第２リード線１２１の各々の一部を収納可能である。
【００５２】
上記構成によれば、コネクタ保護ケース１は、薄型化が可能となる。また、コネクタ保護ケース１では、例えば、ケース本体４内において第１導出孔４４付近に複数の第１リード線１１１を覆うグリスからなる第１シール部１０１を形成し、かつ、第２導出孔４５付近に複数の第２リード線１２１を覆うグリスからなる第２シール部１０２を形成することにより、ケース本体４の薄型化を図りながらも、ケース本体４の外からコネクタ収納室４３に水分が浸入するのを抑制することが可能となる。また、コネクタ保護ケース１では、特許文献１に記載されたコネクタカバーで必要とした第１シール部材及び第２シール部材をなくすことができるので、薄型化及び低コスト化の点で有利である。
【００５３】
第２の態様に係るコネクタ保護ケース１では、第１の態様において、ベース２は、第１リード線収納室４６に対応する第１収納室２６の幅Ｈ２６及び第２リード線収納室４７に対応する第２収納室２７の幅Ｈ２７が、コネクタ収納室４３に対応する中央収納室２３の幅Ｈ２３よりも狭いのが好ましい。これにより、コネクタ保護ケース１では、防水中継コネクタ装置１００を製造する際に、第１導出孔４４付近で複数の第１リード線１１１を覆う第１シール部１０１を形成するためにベース２に中継コネクタ装置１０を仮保持してからベース２の開口２２をカバー３で覆う前に第１収納室２６の底面に塗布するグリスの塗布量、第２導出孔４５付近で第２リード線１２１を覆う第２シール部１０２を形成するためのグリスの塗布量それぞれを低減することが可能となる。グリスの塗布は、例えばディスペンサ等を用いて行うのが好ましい。防水中継コネクタ装置１００の製造方法では、ディスペンサによってグリスを塗布する際、第１収納室２６及び第２収納室２７それぞれを塗布位置の目安とすることが可能となり、作業効率を向上させることも可能となる。
【００５４】
第３の態様に係るコネクタ保護ケース１では、第１又は第２の態様において、ケース本体４の第１導出孔４４は、第１仕切壁４８によって、複数の第１小孔４４１に分かれているのが好ましい。複数の第１小孔４４１は、複数の第１リード線１１１それぞれを導出可能である。第１仕切壁４８は、ベース２から一体に突出したベース側第１リブ２４とカバー３から一体に突出したカバー側第１リブ３４とで構成されるのが好ましい。また、ケース本体４の第２導出孔４５は、第２仕切壁４９によって、複数の第２小孔４５１に分かれているのが好ましい。複数の第２小孔４５１は、複数の第２リード線１２１それぞれを導出可能である。第２仕切壁４９は、ベース２から一体に突出したベース側第２リブ２５とカバー３から一体に突出したカバー側第２リブ３５とで構成されるのが好ましい。これにより、コネクタ保護ケース１では、中継コネクタ装置１０をケース本体４内に収納したときに、複数の第１リード線１１１のうち隣り合う２つの第１リード線１１１の間に第１仕切壁４８があるので、複数の第１リード線１１１と第１導出孔４４の内周面との間の隙間を小さくすることが可能となり、第１シール部１０１による防水性をより向上させることが可能となる。また、コネクタ保護ケース１では、中継コネクタ装置１０をケース本体４内に収納したときに、複数の第２リード線１２１のうち隣り合う２つの第２リード線１２１の間に第２仕切壁４９があるので、複数の第２リード線１２１と第２導出孔４５の内周面との間の隙間を小さくすることが可能となり、第２シール部１０２による防水性をより向上させることが可能となる。また、コネクタ保護ケース１では、第１仕切壁４８によって複数の第１リード線１１１を整線することが可能となり、第２仕切壁４９によって複数の第２リード線１２１を整線することが可能となる。
【００５５】
第４の態様に係るコネクタ保護ケース１では、第３の態様において、ケース本体４の第１導出孔４４の内周面は、ケース本体４の第１端４１でベース２の一面２１において開口２２の周縁に形成された第１溝２１４の内周面と、第１溝２１４内に配置されるカバー側第１リブ３４の表面と、を含む。ベース側第１リブ２４は、ベース２における第１溝２１４の内周面から突出している。ケース本体４の第２導出孔４５の内周面は、ケース本体４の第２端４２でベース２の一面２１において開口２２の周縁に形成された第２溝２１５の内周面と、第２溝２１５内に配置されるカバー側第２リブ３５の表面と、を含む。ベース側第２リブ２５は、ベース２における第２溝２１５の内周面から突出している。コネクタ保護ケース１は、２つの第１突出部３６と２つの第２突出部３７とを更に備える。２つの第１突出部３６は、カバー３に一体に形成され、第１リード線収納室４６内において複数の第１リード線１１１が並ぶ方向の両側に配置されるようにカバー３からベース２に向かって突出している。２つの第２突出部３７は、カバー３に一体に形成され、第２リード線収納室４７内において複数の第２リード線１２１が並ぶ方向の両側に配置されるようにカバー３からベース２に向かって突出している。これにより、コネクタ保護ケース１では、２つの第１突出部３６を備えていることにより、例えば、ケース本体４内において第１導出孔４４付近に複数の第１リード線１１１を覆うグリスからなる第１シール部１０１を形成する際に、２つの第１突出部３６によりグリスを押すことが可能となる。これにより、防水中継コネクタ装置１００では、グリスによる第１リード線１１１の周囲の被覆性を向上させることが可能となり、第１シール部１０１による防水性を向上させることが可能となる。また、コネクタ保護ケース１では、２つの第２突出部３７を備えていることにより、例えば、ケース本体４内において第２導出孔４５付近に複数の第２リード線１２１を覆うグリスからなる第２シール部１０２を形成する際に、２つの第２突出部３７によりグリスを押すことが可能となる。これにより、防水中継コネクタ装置１００では、グリスによる第２リード線１２１の周囲の被覆性を向上させることが可能となり、第２シール部１０２による防水性を向上させることが可能となる。
【００５６】
第５の態様に係るコネクタ保護ケース１では、第１乃至４の態様において、ベース２及びカバー３と一体に形成され、カバー３がベース２の開口２２を覆う閉位置とカバー３がベース２の開口２２を覆わない開位置との間でカバー３が回転可能となるようにカバー３をベース２に連結するヒンジ６と、ヒンジ６の反対側においてベース２とカバー３との一方に一体に形成されたフック７と、ヒンジ６の反対側においてベース２とカバー３との他方に一体に形成され、フック７が着脱可能に引っ掛かる着脱部８と、を備えるのが好ましい。これにより、コネクタ保護ケース１では、カバー３を開位置に回転させることにより、ケース本体４に対して中継コネクタ装置１０を出し入れすることが可能となる。よって、コネクタ保護ケース１を備える防水中継コネクタ装置１００では、コネクタ保護ケース１に対する中継コネクタ装置１０の出し入れが容易となるので、中継コネクタ装置１０における第１コネクタ１１と第２コネクタ１２との接続を容易に解除することが可能となる。
【００５７】
第６の態様に係る防水中継コネクタ装置１００は、第１乃至第５の態様のいずれか一つの態様に記載のコネクタ保護ケース１と、中継コネクタ装置１０と、第１シール部１０１と、第２シール部１０２と、を備える。中継コネクタ装置１０は、コネクタ保護ケース１のコネクタ収納室４３に収納されている。第１シール部１０１は、複数の第１リード線１１１の各々の外周面と第１導出孔４４の内周面との間に介在する。第１シール部１０１は、グリスにより形成されている。第２シール部１０２は、複数の第２リード線１２１の各々の外周面と第２導出孔４５の内周面との間に介在している。第２シール部１０２は、グリスにより形成されている。
【００５８】
上記構成によれば、防水中継コネクタ装置１００は、防水性を向上させながらも薄型化が可能となる。
【００５９】
以下では、防水中継コネクタ装置１００を備える電動工具３００について、図７に基づいて説明する。図７は、電動工具３００の一部破断した側面図を示す。電動工具３００は、作業者が片手で把持可能な可搬型の電動工具である。具体的には、電動工具３００は、作業対象（ねじ等）を回転させて衝撃力を加えることによって締め付ける電動式のインパクトドライバー等である。
【００６０】
電動工具３００には、充電式の電池パック５００が着脱可能に取り付けられる。電動工具３００は、電池パック５００から供給される電力により動作する、いわゆる充電式の電動工具である。電池パック５００は、電動工具３００の構成要素ではない。ただし、電動工具３００が電池パック５００を備えていてもよい。電池パック５００は、例えば、複数の二次電池（例えば、リチウムイオン電池）と、これら二次電池を収納したケース５０１と、を備える。電池パック５００は、電池パック５００の情報を示す電池情報を通信するための、通信用コネクタを備える。電池情報には、例えば、温度情報、残容量情報、定格電圧情報、定格容量情報、回数情報等が含まれる。
【００６１】
電動工具３００は、ハウジング３０２と、モータ３０３と、スイッチ回路モジュール３０４（第１回路モジュール）と、操作部３４１と、制御回路モジュール３０５（第２回路モジュール）と、接続端子ユニット３０６と、を備える。
【００６２】
ハウジング３０２は、中空筒形状の胴体部３２１と、胴体部３２１の周面から胴体部３２１の一径方向（図７の下方）へ突出するグリップ部３２２と、を備える。
【００６３】
胴体部３２１の内部には、モータ３０３が収納される。胴体部３２１には、モータ３０３が配置される位置の近傍に、通気孔３３１が形成されている。
【００６４】
また、胴体部３２１の軸方向における一端側（図７の右側）からは、先端にビット装着部３１０が設けられた出力軸３１１が、突出している。ビット装着部３１０には、作業対象の部材に合わせたビット（ドライバービット等）が、着脱可能に取り付けられる。モータ３０３の回転は、インパクト機構３３２を介して出力軸３１１（ビット装着部３１０）に伝達される。以下、モータ３０３に対して出力軸３１１が位置する側（図７の右側）を、「前側」とする。
【００６５】
グリップ部３２２は、使用者が手で持つことができるように、一方向（図７の上下方向）に長い中空の筒形状に形成されている。グリップ部３２２の内部（空間）は、胴体部３２１の内部（空間）と繋がっている。ハウジング３０２は、グリップ部３２２の胴体部３２１側とは反対側に、電池パック５００が着脱可能に取り付けられる電池パック装着部３２３を更に備えている。電池パック５００は、例えば、電池パック装着部３２３に対して前方及び後方にスライド移動させることで、電池パック装着部３２３への取り付け及び電池パック装着部３２３からの取り外しが可能である。
【００６６】
スイッチ回路モジュール３０４は、グリップ部３２２における胴体部３２１側の部分の内部（第１領域）に配置されている。スイッチ回路モジュール３０４は、防水中継コネクタ装置１００を介して、制御回路モジュール３０５に接続されている。
【００６７】
また、スイッチ回路モジュール３０４は、操作部３４１に接続されている。操作部３４１は、トリガレバー３４２を備えている。トリガレバー３４２は、操作者の指による操作が可能なように、グリップ部３２２の前側に設けられている。トリガレバー３４２は、操作者の指の操作によって後方に引き込まれるよう構成されている。
【００６８】
スイッチ回路モジュール３０４は、例えばメインスイッチ（図示せず）を備えている。メインスイッチは、例えば、電池パック５００からモータ３０３に電力を供給するための電力供給路に設けられる。電力供給路は、例えば、接続端子ユニット３０６における一対の接続端子３６１の一方の接続端子３６１とモータ３０３とを繋ぐ電線３７３と、モータ３０３とメインスイッチとを繋ぐ電線と、メインスイッチと接続端子ユニット３０６における一対の接続端子３６１の他方の接続端子３６１とを繋ぐ電線と、を含む。図７では、図面の煩雑さをさけるため、上記のモータ３０３とメインスイッチとを繋ぐ電線、及びメインスイッチと接続端子ユニット３０６とを繋ぐ電線の図示を、省略している。スイッチ回路モジュール３０４は、トリガレバー３４２の引き込み量が所定量以下の場合にはメインスイッチをオフし、トリガレバー３４２の引き込み量が所定量を超えるとメインスイッチをオンする。これにより、スイッチ回路モジュール３０４は、電池パック５００からモータ３０３への電力の供給と遮断とを切り換える。また、スイッチ回路モジュール３０４は、トリガレバー３４２の引き込み量が上記の所定量を超えると、トリガレバー３４２の引き込み量に応じた操作信号を、防水中継コネクタ装置１００を介して、制御回路モジュール３０５に送信する。
【００６９】
また、スイッチ回路モジュール３０４は、モータ３０３の回転方向を切り換えるための正逆切換スイッチ３５２に、接続されている。正逆切換スイッチ３５２は、胴体部３２１とグリップ部３２２との境界付近に設けられている。
【００７０】
制御回路モジュール３０５は、ハウジング３０２の電池パック装着部３２３内（第２領域）に配置されている。
【００７１】
制御回路モジュール３０５は、電動工具３００の動作を制御する。制御回路モジュール３０５は、スイッチ回路モジュール３０４から送信される操作信号に基づいて、モータ３０３の駆動（回転速度）を制御する。制御回路モジュール３０５は、図示しない制御線を介してモータ３０３に接続されており、制御線を介してモータ３０３の駆動を制御する。
【００７２】
制御回路モジュール３０５は、接続コネクタ３５１を備えている。電池パック５００が電池パック装着部３２３に取り付けられた状態で、接続コネクタ３５１は、電池パック５００の通信コネクタに接続される。制御回路モジュール３０５は、接続コネクタ３５１を通じて、電池パック５００から電池情報を取得する。また、制御回路モジュール３０５は、接続コネクタ３５１もしくは接続端子ユニット３０６を通じて、電池パック５００から動作電力を受け取る。
【００７３】
接続端子ユニット３０６は、一対の接続端子３６１を備えている。電池パック５００が電池パック装着部３２３に取り付けられた状態で、一対の接続端子３６１は、電池パック５００の正極側及び負極側の電極にそれぞれ接続される。図７には、一対の接続端子３６１のうちの一方の接続端子３６１のみを図示している。
【００７４】
電動工具３００では、使用者によって操作される操作部３４１及びスイッチ回路モジュール３０４は、摩耗などによって故障が発生する可能性がある。そこで、本実施形態の電動工具３００では、制御回路モジュール３０５を交換することなくスイッチ回路モジュール３０４を交換可能なように、スイッチ回路モジュール３０４と制御回路モジュール３０５とを防水中継コネクタ装置１００を介して接続している。
【００７５】
第７の態様に係る電動工具３００は、モータ３０３と、モータ３０３を収納する中空のハウジング３０２と、第６の態様の防水中継コネクタ装置１００と、第１回路モジュール（スイッチ回路モジュール３０４）と、第２回路モジュール（制御回路モジュール３０５）と、を備える。第１回路モジュールは、ハウジング３０２内の第１領域に配置されている。第１回路モジュールは、防水中継コネクタ装置１００の第１コネクタ１１に複数の第１リード線１１１を介して電気的に接続されている。第２回路モジュールは、ハウジング３０２内の第２領域に配置されている。第２回路モジュールは、防水中継コネクタ装置１００の第２コネクタ１２に複数の第２リード線１２１を介して電気的に接続されている。
【００７６】
以上の構成により、電動工具３００では、中継コネクタ装置１０に水分が浸入するのを抑制することが可能となる。また、電動工具３００では、防水中継コネクタ装置１００における第１コネクタ１１と第２コネクタ１２との接続を解除することにより、第１回路モジュールを交換することが可能となる。また、防水中継コネクタ装置１００は、スイッチ回路モジュール３０４と制御回路モジュール３０５との接続に限らず、第１回路モジュールとして、モータ、ＬＥＤモジュール等を採用してもよく、第２回路モジュールとして、制御回路モジュール３０５以外の回路モジュールを採用してもよい。
【００７７】
次に、変形例１の防水中継コネクタ装置について、図８に基づいて説明する。変形例１の防水中継コネクタ装置に関し、実施形態の防水中継コネクタ装置１００と同様の構成要素には実施形態の防水中継コネクタ装置１００と同一の符号を付して説明を省略する。
【００７８】
変形例１の防水中継コネクタ装置は、第２コネクタ１２がコネクタ保護ケース１におけるベース２にボンドにより固定されている点が、実施形態の防水中継コネクタ装置１００と相違する。変形例１の防水中継コネクタ装置では、コネクタ保護ケース１においてカバー３によりベース２の開口２２を覆っていない状態で、第１コネクタ１１を第２コネクタ１２に対して着脱可能となっている。図８中に一点鎖線で示した矢印は、第１コネクタ１１を第２コネクタ１２に接続するときに第１コネクタ１１を動かす方向を模式的に示している。
【符号の説明】
【００７９】
１  コネクタ保護ケース
２  ベース
２１  一面
２１４  第１溝
２１５  第２溝
２２  開口
２３  中央収納室
２４  ベース側第１リブ
２５  ベース側第２リブ
２６  第１収納室
２７  第２収納室
３  カバー
３４  カバー側第１リブ
３５  カバー側第２リブ
３６  第１突出部
３７  第２突出部
４  ケース本体
４１  第１端
４２  第２端
４３  コネクタ収納室
４４  第１導出孔
４４１  第１小孔
４５  第２導出孔
４５１  第２小孔
４６  第１リード線収納室
４７  第２リード線収納室
４８  第１仕切壁
４９  第２仕切壁
６  ヒンジ
７  フック
８  着脱部
１０  中継コネクタ装置
１００  防水中継コネクタ装置
１０１  第１シール部
１０２  第２シール部
１１  第１コネクタ
１１０  第１コネクタハウジング
１１１  第１リード線
１２  第２コネクタ
１２０  第２コネクタハウジング
１２１  第２リード線
３００  電動工具
３０４  スイッチ回路モジュール（第１回路モジュール）
３０５  制御回路モジュール（第２回路モジュール）
Ｈ２３  中央収納室の幅
Ｈ２６  第１収納室の幅
Ｈ２７  第２収納室の幅
【図１】
2018092742.tif 000003
【図２】
2018092742.tif 000004
【図３】
2018092742.tif 000005
【図４】
2018092742.tif 000006
【図５】
2018092742.tif 000007
【図６】
2018092742.tif 000008
【図７】
2018092742.tif 000009
【図８】
2018092742.tif 000010